(57)【要約】  本発明は、ワイヤレス通信システム(500)のための送信デバイス(100)および受信デバイス(300)に関する。送信デバイス(100)は、キャリア上で1つまたは複数の同期信号を少なくとも1つの受信デバイス(300)に送信することであって、1つまたは複数の同期信号のうちの同期信号の周波数が、第1の周波数ラスタ上に置かれ、キャリアのキャリア周波数が、第2の周波数ラスタ上に展開され、1つまたは複数の同期信号のうちの2つの異なる同期信号の周波数が、第1のラスタ内の異なる周波数位置に置かれる、送信すること、および少なくとも1つの受信デバイス(300)にキャリア周波数の指示を送信することであって、指示が、少なくとも1つの整数を含む、送信することを行うように構成される。受信デバイス(300)は、少なくとも1つの整数に基づいてキャリア周波数を導出するように構成される。さらに、本発明は、対応する方法およびコンピュータプログラムにも関する。
2020511074.tif 000002
【特許請求の範囲】
【請求項１】
ワイヤレス通信システム(500)のための送信デバイス(100)であって、
キャリア上で1つまたは複数の同期信号を少なくとも1つの受信デバイス(300)に送信することであって、前記1つまたは複数の同期信号のうちの同期信号の周波数が、第1の周波数ラスタ上に置かれ、前記キャリアのキャリア周波数が、第2の周波数ラスタ上に展開され、前記1つまたは複数の同期信号のうちの2つの異なる同期信号の周波数が、前記第1のラスタ内の異なる周波数位置に置かれる、送信すること、および
前記少なくとも1つの受信デバイス(300)に前記キャリア周波数の指示を送信することであって、前記指示が、少なくとも1つの整数を含む、送信することを行うように構成される、送信デバイス(100)。
【請求項２】
前記少なくとも1つの整数が、チャネル番号である請求項1に記載の送信デバイス(100)。
【請求項３】
前記チャネル番号が、一意のキャリア周波数に関連付けられる請求項2に記載の送信デバイス(100)。
【請求項４】
前記ワイヤレス通信システム(500)の周波数スペクトルが、複数の重なり合わない周波数帯域に分割され、前記チャネル番号が、周波数帯域内の一意のキャリア周波数に関連付けられる請求項2または3に記載の送信デバイス(100)。
【請求項５】
前記チャネル番号の範囲が、前記周波数帯域に応じて決まる請求項4に記載の送信デバイス(100)。
【請求項６】
2つの隣接する同期信号の間の周波数間隔が、前記ワイヤレス通信システム(500)のサブキャリア間隔の倍数であり、前記第1の周波数ラスタが、前記第2の周波数ラスタのサブセットである請求項1から5のいずれか一項に記載の送信デバイス(100)。
【請求項７】
前記少なくとも1つの整数が、相対的なチャネル番号である請求項6に記載の送信デバイス(100)。
【請求項８】
前記相対的なチャネル番号が、前記ワイヤレス通信システム(500)の最大のキャリア帯域幅に依存する請求項7に記載の送信デバイス(100)。
【請求項９】
前記相対的なチャネル番号の範囲が、前記最大のキャリア帯域幅に依存する請求項8に記載の送信デバイス(100)。
【請求項１０】
前記最大のキャリア帯域幅が、周波数に依存する請求項8または9に記載の送信デバイス(100)。
【請求項１１】
前記少なくとも1つの整数が、前記同期信号の前記周波数に対して相対的な第1の周波数位置を示す第1のインデックス、および前記第1の周波数位置に対して相対的な第2の周波数位置を示す第2のインデックスである請求項6に記載の送信デバイス(100)。
【請求項１２】
前記第1の周波数位置が、物理リソースブロックの数で与えられ、前記第2の周波数位置が、前記第2の周波数ラスタの解像度で与えられる請求項11に記載の送信デバイス(100)。
【請求項１３】
前記第1の周波数位置が、前記第1の周波数ラスタの解像度で与えられ、前記第2の周波数位置が、前記第2の周波数ラスタの解像度で与えられる請求項11に記載の送信デバイス(100)。
【請求項１４】
マスタ情報ブロック(MIB)、残システム情報(RMSI)、他システム情報(OSI)、および無線リソース制御(RRC)のうちの少なくとも1つの内で前記指示を送信するように構成された請求項1から13のいずれか一項に記載の送信デバイス(100)。
【請求項１５】
ワイヤレス通信システム(500)のための受信デバイス(300)であって、
送信デバイス(100)からキャリア上で1つまたは複数の同期信号を受信することであって、前記1つまたは複数の同期信号のうちの同期信号の周波数が、第1の周波数ラスタ上に置かれ、前記キャリアのキャリア周波数が、第2の周波数ラスタ上に展開され、前記1つまたは複数の同期信号のうちの2つの異なる同期信号の周波数が、前記第1のラスタ内の異なる周波数位置に置かれる、受信すること、
前記送信デバイス(100)から前記キャリア周波数の指示を受信することであって、前記指示が、少なくとも1つの整数を含む、受信すること、および
前記少なくとも1つの整数に基づいて前記キャリア周波数を導出することを行うように構成される、受信デバイス(300)。
【請求項１６】
前記ワイヤレス通信システム(500)の周波数スペクトルが、複数の重なり合わない周波数帯域に分割され、前記少なくとも1つの整数が、周波数帯域に関連付けられ、前記受信デバイス(300)が、
前記キャリア周波数を導出するために前記周波数帯域に基づいて前記少なくとも1つの整数をマッピングするように構成される請求項15に記載の受信デバイス(300)。
【請求項１７】
前記少なくとも1つの整数が、チャネル番号である請求項15に記載の受信デバイス(300)。
【請求項１８】
前記チャネル番号が、一意のキャリア周波数に関連付けられる請求項17に記載の受信デバイス(300)。
【請求項１９】
2つの隣接する同期信号の間の周波数間隔が、前記ワイヤレス通信システム(500)のサブキャリア間隔の倍数であり、前記第1の周波数ラスタが、前記第2の周波数ラスタのサブセットである請求項15、17、および18に記載の受信デバイス(300)。
【請求項２０】
マスタ情報ブロック(MIB)、残システム情報(RMSI)、他システム情報(OSI)、および無線リソース制御(RRC)のうちの少なくとも1つの内で前記指示を受信する請求項15、17から19に記載の受信デバイス(300)。
【請求項２１】
送信デバイス(100)のための方法(200)であって、
キャリア上で1つまたは複数の同期信号を少なくとも1つの受信デバイス(300)に送信するステップ(202)であって、前記1つまたは複数の同期信号のうちの同期信号の周波数が、第1の周波数ラスタ上に置かれ、前記キャリアのキャリア周波数が、第2の周波数ラスタ上に展開され、前記1つまたは複数の同期信号のうちの2つの異なる同期信号の周波数が、前記第1のラスタ内の異なる周波数位置に置かれる、ステップ(202)と、
前記少なくとも1つの受信デバイス(300)に前記キャリア周波数の指示を送信するステップ(204)であって、前記指示が、少なくとも1つの整数を含む、ステップ(204)とを含む、方法(200)。
【請求項２２】
前記少なくとも1つの整数が、チャネル番号である請求項21に記載の方法(200)。
【請求項２３】
前記チャネル番号が、一意のキャリア周波数に関連付けられる請求項22に記載の方法(200)。
【請求項２４】
前記ワイヤレス通信システム(500)の周波数スペクトルが、複数の重なり合わない周波数帯域に分割され、前記チャネル番号が、周波数帯域内の一意のキャリア周波数に関連付けられる請求項22または23に記載の方法(200)。
【請求項２５】
前記チャネル番号の範囲が、前記周波数帯域に応じて決まる請求項24に記載の方法(200)。
【請求項２６】
2つの隣接する同期信号の間の周波数間隔が、前記ワイヤレス通信システム(500)のサブキャリア間隔の倍数であり、前記第1の周波数ラスタが、前記第2の周波数ラスタのサブセットである請求項21から25のいずれか一項に記載の方法(200)。
【請求項２７】
前記少なくとも1つの整数が、相対的なチャネル番号である請求項26に記載の方法(200)。
【請求項２８】
前記相対的なチャネル番号が、前記ワイヤレス通信システム(500)の最大のキャリア帯域幅に依存する請求項27に記載の方法(200)。
【請求項２９】
前記相対的なチャネル番号の範囲が、前記最大のキャリア帯域幅に依存する請求項28に記載の方法(200)。
【請求項３０】
前記最大のキャリア帯域幅が、周波数に依存する請求項28または29に記載の方法(200)。
【請求項３１】
前記少なくとも1つの整数が、前記同期信号の前記周波数に対して相対的な第1の周波数位置を示す第1のインデックス、および前記第1の周波数位置に対して相対的な第2の周波数位置を示す第2のインデックスである請求項26に記載の方法(200)。
【請求項３２】
前記第1の周波数位置が、物理リソースブロックの数で与えられ、前記第2の周波数位置が、前記第2の周波数ラスタの解像度で与えられる請求項31に記載の方法(200)。
【請求項３３】
前記第1の周波数位置が、前記第1の周波数ラスタの解像度で与えられ、前記第2の周波数位置が、前記第2の周波数ラスタの解像度で与えられる請求項31に記載の方法(200)。
【請求項３４】
マスタ情報ブロック(MIB)、残システム情報(RMSI)、他システム情報(OSI)、および無線リソース制御(RRC)のうちの少なくとも1つの内で前記指示を送信するように構成された請求項21から33のいずれか一項に記載の方法(200)。
【請求項３５】
前記キャリアが置かれる周波数帯域をさらに含む前記方法が、前記第1のラスタおよび前記第2のラスタから決定された値を含む請求項21に記載の方法(200)。
【請求項３６】
前記少なくとも1つの同期信号を送信する前に少なくとも1つの同期信号を取得するステップをさらに含む請求項21に記載の方法(200)。
【請求項３７】
受信デバイス(300)のための方法(400)であって、
送信デバイス(100)からキャリア上で1つまたは複数の同期信号を受信するステップ(402)であって、前記1つまたは複数の同期信号のうちの同期信号の周波数が、第1の周波数ラスタ上に置かれ、前記キャリアのキャリア周波数が、第2の周波数ラスタ上に展開され、前記1つまたは複数の同期信号のうちの2つの異なる同期信号の周波数が、前記第1のラスタ内の異なる周波数位置に置かれる、ステップ(402)と、
前記送信デバイス(100)から前記キャリア周波数の指示を受信するステップ(404)であって、前記指示が、少なくとも1つの整数を含む、ステップ(404)と、
前記少なくとも1つの整数に基づいて前記キャリア周波数を導出するステップ(406)とを含む、方法(400)。
【請求項３８】
前記ワイヤレス通信システム(500)の周波数スペクトルが、複数の重なり合わない周波数帯域に分割され、前記少なくとも1つの整数が、周波数帯域に関連付けられ、前記受信デバイス(300)が、
前記キャリア周波数を導出するために前記周波数帯域に基づいて前記少なくとも1つの整数をマッピングするように構成される請求項37に記載の方法(400)。
【請求項３９】
前記キャリアが置かれる周波数帯域が、前記第1のラスタおよび前記第2のラスタから決定された値をさらに含む請求項37に記載の方法(400)。
【請求項４０】
前記少なくとも1つの整数が、チャネル番号である請求項37に記載の方法(400)。
【請求項４１】
前記チャネル番号が、一意のキャリア周波数に関連付けられる請求項37に記載の方法(400)。
【請求項４２】
2つの隣接する同期信号の間の周波数間隔が、前記ワイヤレス通信システム(500)のサブキャリア間隔の倍数であり、前記第1の周波数ラスタが、前記第2の周波数ラスタのサブセットである請求項37、41、および42に記載の方法(400)。
【請求項４３】
マスタ情報ブロック(MIB)、残システム情報(RMSI)、他システム情報(OSI)、および無線リソース制御(RRC)のうちの少なくとも1つの内で前記指示を受信する請求項37、40から42に記載の方法(400)。
【請求項４４】
コンピュータプログラムがコンピュータ上で実行されるときに請求項21から36または37から43に記載の方法を実行するためのプログラムコードを有するコンピュータプログラム。
【請求項４５】
請求項21から36のいずれか一項に記載の方法を実行するように構成されたプロセッサ(102)。
【請求項４６】
請求項37から43のいずれか一項に記載の方法を実行するように構成されたプロセッサ(302)。
【請求項４７】
コンピュータプログラムを含むコンピュータ可読ストレージ媒体であって、前記コンピュータプログラムがコンピュータ上で実行されるときに、前記コンピュータが、請求項21から36または37から43のいずれか一項に記載の方法を実行することを可能にされる、コンピュータ可読ストレージ媒体。
【請求項４８】
コンピュータプログラムを含み、前記コンピュータプログラムがコンピュータ上で実行されるときに、前記コンピュータが、請求項21から36または37から43のいずれか一項に記載の方法を実行することを可能にされるコンピュータプログラム製品。
【請求項４９】
請求項15から20のいずれか一項に記載の受信デバイス(300)と、請求項1から14のいずれか一項に記載の送信デバイス(100)とを含む通信システム(500)。
【請求項５０】
コンピュータプログラムを記憶するように構成されたメモリ(106)と、
請求項21から36のいずれか一項に記載の方法を実行するために、前記メモリから前記コンピュータプログラムを呼び出し、前記コンピュータプログラムを実行するように構成されたプロセッサ(102)とを含む装置(100)。
【請求項５１】
コンピュータプログラムを記憶するように構成されたメモリ(306)と、
請求項37から43のいずれか一項に記載の方法を実行するために、前記メモリから前記コンピュータプログラムを呼び出し、前記コンピュータプログラムを実行するように構成されたプロセッサ(302)とを含む装置(300)。
【発明の詳細な説明】
【技術分野】
【０００１】
本発明は、送信デバイスおよび受信デバイスに関する。さらに、本発明は、対応する方法およびコンピュータプログラムにも関する。
【背景技術】
【０００２】
3GPPニューラジオ(NR)においては、同期信号(SS)ブロックが、NRプライマリ同期信号(NR-PSS: NR-Primary Synchronization Signal)、NRセカンダリ同期信号(NR-SSS: NR-Secondary Synchronization Signal)、およびNR物理ブロードキャストチャネル(NR-PBCH: NR-Physical Broadcast Channel)を含む。同期信号ブロックを検出した後、ユーザ機器(UE)は、セルに同期し、セルのセルIDを取得することができ、さらにブロードキャスト情報を取得する。ブロードキャスト情報、たとえば、NRマスタ情報ブロック(NR-MIB: NR-Master Information Block)は、UEがシステム情報、たとえば、残システム情報(RMSI: Remaining System Information)および他システム情報(OSI: Other System Information)を取得するためにNR物理ダウンリンク共有チャネル(NR-PDSCH: NR-Physical Downlink Shared Channel)を検出することを可能にする情報をさらに含む可能性がある。NR-PBCHは、UEがNR-PDSCHを通じたRMSIをスケジューリングしているNR物理ダウンリンク制御チャネル(NR-PDCCH: NR-Physical Downlink Control Channel)を検出する可能性がある制御チャネルリソースについての情報を含む可能性がある。NR-PBCHは、大きなカバーエリア全体で受信されるべきであり、したがって、NR-PBCHのペイロードは、最小化されるべきである。さらなるシステム情報が、RMSIまたはOSIに含まれる可能性がある。
【０００３】
3GPP NRにおいて、同期信号ブロックは、周波数ラスタ(frequency raster)(たとえば、SSブロックまたはSSの中心周波数はラスタ上にある)、つまり、間に予め定義された間隔を空けた1組の周波数上に置かれる。本明細書において周波数信号ラスタと表される、同期信号ブロックのために使用される周波数ラスタは、本明細書においてNRチャネルラスタと表される、NRチャネルのために使用される周波数ラスタとは異なる可能性がある。NRチャネルラスタは、NRキャリアを展開するために利用可能なキャリア周波数(たとえば、キャリアの中心周波数)を定義する。キャリアは、通信のために使用されるチャネルおよび信号を含む通信システムのエンティティとして理解されるべきであり、キャリアは、ダウンリンク通信とアップリンク通信との両方に展開される可能性がある。
【０００４】
同期信号ラスタおよびNRチャネルラスタは、異なる目的のために選択される可能性がある。したがって、同期信号ラスタは、たとえば、UEのために探索の複雑さを減らすためにNRチャネルラスタよりもまばらである可能性がある。少なくとも、初期セル選択のために、UEは、同期信号ラスタ上で同期信号を探索する。同期信号ラスタは、たとえば、NRにおけるサブキャリア間隔(SCS: SubCarrier Spacing)である15kHzの倍数、たとえば、300kHzまたは900kHzである可能性がある。NRシステムは、異なるSCSを提供し、たとえば、SSは、15、30、120、または240kHzのSCSを使用する可能性がある。60kHzなどのさらなるSCSが、その他のチャネルおよび信号に適用可能である可能性がある。加えて、同期信号ラスタは、異なる周波数帯域においては異なる可能性があり、たとえば、同期信号ラスタは、LTEおよびNRが共存するべき帯域において100kHzである可能性がある。同様に、NRチャネルラスタは、異なる周波数帯域においては異なる可能性があり、たとえば、NRチャネルラスタは、LTEおよびNRが共存するべき帯域において100kHzである可能性があり、スペクトルの量がずっと多い高周波数帯域においてはより大きな値を想定する可能性がある。
【０００５】
同期信号ラスタおよびNRチャネルラスタが異なる場合、同期信号ブロックはNRキャリアの中心周波数、たとえば、キャリア周波数の周りに置かれない可能性があることが理解される。さらに、NRキャリアが、異なる周波数位置において送信された複数の同期信号ブロックを含む可能性がある。したがって、同期信号ラスタは、チャネル周波数のサブセットであるか、またはチャネル周波数にまったく位置を揃えられないか、またはチャネル周波数に部分的に位置を揃えられる同期信号の周波数位置を与える可能性がある。
【０００６】
通常のシステムの3GPP LTEにおいて、同期信号は、キャリアの中心周波数の周りに置かれ、同期信号ラスタは、チャネルラスタと同じである。したがって、UEは、同期信号の検出された周波数位置から暗黙的にキャリア周波数を決定する可能性がある。キャリア周波数情報は、UEが以下の非限定的なタスクのうちの1つまたは複数を実現することを可能にする。
・UEの発振器をキャリア周波数に同調させる
・受信機のフィルタリングを実行する
・セルIDとキャリア周波数との両方によって特徴付けられるセル上でモビリティ(mobility)の測定を実行する
・複数の同期信号ブロックを検出し、それらの同期信号ブロックがどのキャリアに属するかを決定する
・キャリアの物理リソースブロック(PRB)の位置を決定する
・基準信号(RS)の位置を決定する
・システム情報を受信する
【０００７】
一方、3GPP NRにおいて、UEは、同期信号ラスタおよびNRチャネルラスタが異なる可能性があるので、検出された同期信号ブロックから暗黙的にキャリア周波数を決定することができない。したがって、3GPP NRにおいてNRキャリア周波数をどのようにして決定すべきかに関する問題が存在する。
【発明の概要】
【発明が解決しようとする課題】
【０００８】
本発明の実施形態の目的は、通常のソリューションの欠点および問題を軽減するかまたは解決するソリューションを提供することである。
【課題を解決するための手段】
【０００９】
上述のおよびさらなる目的は、独立請求項の対象によって解決される。本発明のさらなる有利な実装形態が、従属請求項に見つけられ得る。
【００１０】
本発明の第1の態様によれば、上述のおよびその他の目的は、ワイヤレス通信システムのための送信デバイスによって達成され、送信デバイスは、
キャリア上で1つまたは複数の同期信号を少なくとも1つの受信デバイスに送信することであって、1つまたは複数の同期信号のうちの同期信号の周波数が、第1の周波数ラスタ上に置かれ、キャリアのキャリア周波数が、第2の周波数ラスタ上に展開され、1つまたは複数の同期信号のうちの2つの異なる同期信号の周波数が、第1のラスタ内の異なる周波数位置に置かれる、送信すること、および
少なくとも1つの受信デバイスにキャリア周波数の指示を送信することであって、指示が、少なくとも1つの整数を含む、送信することを行うように構成される。
【００１１】
第1の態様の1つの実装形態において、キャリアが置かれる周波数帯域は、第1のラスタおよび第2のラスタから決定された値を含み、値は、周波数位置を表す。
【００１２】
本開示の周波数ラスタは、間に予め定義された間隔を空けた1組の周波数であると理解され得る。第1の周波数ラスタは、第2の周波数ラスタと位置を合わせられることが可能であるかまたは位置を合わせられることが可能でない。周波数ラスタは、周波数に依存する可能性があり、つまり、異なる周波数ラスタが、異なる周波数帯域において使用される可能性がある。
【００１３】
第1の態様による送信デバイスは、キャリア内に2つ以上の同期信号が存在し得る場合に関する。その場合、同期信号は、第1の周波数ラスタ上の異なる周波数位置に置かれる。しかし、これは、キャリア内に1つの同期信号のみ存在する場合を除外しない。プライマリ同期信号、セカンダリ同期信号などの複数の種類の同期信号が存在する可能性があることが、さらに留意される。したがって、本明細書において、1つまたは複数の同期信号は、異なる種類の同期信号を含み得る。2つ以上の同期信号がキャリア内に与えられ、同期信号が第1の周波数ラスタ上の異なる周波数位置に置かれる場合は、1つの同期信号が、時間的に(たとえば、異なるOFDMシンボルに)分けられるが、同じ周波数位置(つまり、同じラスタ値(raster value))を使用する異なる種類の同期信号(たとえば、NR-PSSおよびNR-SSS)を含む可能性がある場合を含むことにさらに留意されたい。したがって、1つの例は、同期信号の第1のペアNR-PSS_1およびNR-SSS_1が同じ周波数位置を有し、この周波数位置が同期信号の第2のペアNR-PSS_2およびNR-SSS_2の周波数位置と異なることである。さらに、キャリアは、同じ周波数位置を有する同期信号の第1のペアNR-PSS_1およびNR-SSS_1のみを含む可能性もあることを理解されたい。
【００１４】
キャリア周波数は、キャリアの中心周波数に等しい可能性がありまたは等しくない可能性があることにさらに留意されたい。広帯域キャリアを受信することができない受信デバイスに関して、その受信デバイスは、キャリアの1つの部分を送信および/または受信する可能性がある。広帯域キャリアのそのような部分は、特定の受信デバイスのためのキャリアと考えられる可能性があり、そのキャリアのキャリア周波数は、キャリアの中心周波数とは異なる可能性がある広帯域キャリアの一部分の中に制限される。
【００１５】
第1の態様による送信デバイスは、通常のソリューションに優るいくつかの利点を提供する。送信デバイスの利点は、キャリア周波数と、潜在的に、キャリア内の同期信号の周波数位置ならびにPRBおよび基準信号(RS)の周波数位置のうちのどちらか/両方とを受信デバイスが決定することをその送信デバイスが可能にすることである。
【００１６】
第1の態様による送信デバイスの実装形態において、同期信号の周波数は、同期信号またはキャリアの中心周波数である。一例において、中心周波数およびキャリア周波数は、異なる周波数である。
【００１７】
第1の態様による送信デバイスの実装形態において、少なくとも1つの整数は、チャネル番号である。
【００１８】
この実装形態による利点は、キャリア周波数とチャネル番号との間のマッピングが知られる可能性があるので、この実装形態がキャリア周波数を示すシグナリングのオーバーヘッドを削減することである。さらに、キャリア周波数が、チャネル番号から一意に決定され得る。
【００１９】
第1の態様による送信デバイスの実装形態において、チャネル番号は、一意のキャリア周波数に関連付けられる。
【００２０】
この実装形態による利点は、これが、受信機の複雑さを削減する、キャリア周波数をあいまいさを残さずに決定する簡単な方法を提供することである。
【００２１】
第1の態様による送信デバイスの実装形態において、ワイヤレス通信システムの周波数スペクトルは、複数の重なり合わない周波数帯域に分割され、チャネル番号が、周波数帯域内の一意のキャリア周波数に関連付けられる。
【００２２】
この実装形態による利点は、チャネル番号の値の範囲が減らされる可能性があるので、キャリア周波数についての情報を符号化するためにより少ないビットが必要とされることである。
【００２３】
第1の態様による送信デバイスの実装形態において、チャネル番号の範囲は、周波数帯域に応じて決まる。
【００２４】
この実装形態による利点は、チャネル番号のシグナリングのオーバーヘッドが削減される可能性があることである。たとえば、大量の利用可能なスペクトルが存在する周波数帯域において、周波数ラスタは、少数の周波数しか含まず、結果として、少数のチャネル番号しか含まない可能性がある。
【００２５】
第1の態様による送信デバイスの実装形態において、2つの隣接する同期信号の間の周波数間隔は、ワイヤレス通信システムのサブキャリア間隔の倍数であり、第1の周波数ラスタは、第2の周波数ラスタのサブセットである。
【００２６】
この実装形態による利点は、同期信号がキャリアのその他のチャネルおよび信号のサブキャリアと位置が揃うことである。
【００２７】
第1の態様による送信デバイスの実装形態において、少なくとも1つの整数は、相対的なチャネル番号である。
【００２８】
この実装形態による利点は、キャリア周波数をシグナリングするオーバーヘッドをさらに削減することが可能であることである。
【００２９】
第1の態様による送信デバイスの実装形態において、相対的なチャネル番号は、ワイヤレス通信システムの最大のキャリア帯域幅に依存する。
【００３０】
この実装形態による利点は、同期信号がキャリア周波数から最大のキャリア帯域幅よりも離れて置かれない可能性があることを考慮して、キャリア周波数をシグナリングするオーバーヘッドをさらに削減することが可能であることである。
【００３１】
第1の態様による送信デバイスの実装形態において、相対的なチャネル番号の範囲は、最大のキャリア帯域幅に依存する。
【００３２】
この実装形態による利点は、同期信号がキャリア周波数から最大のキャリア帯域幅よりも離れて置かれない可能性があることを考慮して、キャリア周波数をシグナリングするオーバーヘッドをさらに削減することが可能であることである。
【００３３】
第1の態様による送信デバイスの実装形態において、最大のキャリア帯域幅は、周波数に依存する。
【００３４】
この実装形態による利点は、大量の利用可能なスペクトルが存在する周波数帯域においてのみ、比較的広いキャリア帯域幅が提供されることである。
【００３５】
第1の態様による送信デバイスの実装形態において、少なくとも1つの整数は、同期信号の周波数に対して相対的な第1の周波数位置を示す第1のインデックス、および第1の周波数位置に対して相対的な第2の周波数位置を示す第2のインデックスである。
【００３６】
この実装形態による利点は、キャリア周波数をシグナリングするオーバーヘッドをさらに削減することが可能であることである。
【００３７】
第1の態様による送信デバイスの実装形態において、第1の周波数位置は、物理リソースブロックの数で与えられ、第2の周波数位置は、第2の周波数ラスタの解像度(resolution)で与えられる。
【００３８】
この実装形態による利点は、キャリア周波数をシグナリングするオーバーヘッドをさらに削減することが可能であること、および同期信号がリソースブロック内に置かれるその他のチャネルおよび信号と周波数位置を揃えられる可能性があることである。
【００３９】
第1の態様による送信デバイスの実装形態において、第1の周波数位置は、第1の周波数ラスタの解像度で与えられ、第2の周波数位置は、第2の周波数ラスタの解像度で与えられる。
【００４０】
この実装形態による利点は、第1のラスタが第2のラスタよりもまばらである可能性があることを考慮して、キャリア周波数をシグナリングするオーバーヘッドをさらに削減することが可能であることである。
【００４１】
第1の態様による送信デバイスの実装形態において、送信デバイスは、
マスタ情報ブロック(MIB)、残システム情報(RMSI)、他システム情報(OSI)、および無線リソース制御(RRC)のうちの少なくとも1つの内で前記指示を送信するようにさらに構成される。
【００４２】
この実装形態による利点は、同期信号が何を行うことができるかのより多くの情報を含む能力を有するチャネルにおいてシグナリングが行われることである。同期信号に追加的な情報を符号化することは、MIB、RMSI、OSI、およびRRCシグナリングが情報送信により適したチャネルにおいて運ばれる一方で、それらが、通常、同期シーケンスに基づくので、受信機の複雑さを増やす。
【００４３】
本発明の第2の態様によれば、上述のおよびその他の目的は、ワイヤレス通信システムのための受信デバイスによって達成され、受信デバイスは、
送信デバイスからキャリア上で1つまたは複数の同期信号を受信することであって、1つまたは複数の同期信号のうちの同期信号の周波数が、第1の周波数ラスタ上に置かれ、キャリアのキャリア周波数が、第2の周波数ラスタ上に展開され、1つまたは複数の同期信号のうちの2つの異なる同期信号の周波数が、第1のラスタ内の異なる周波数位置に置かれる、受信すること、
送信デバイスからキャリア周波数の指示を受信することであって、指示が、少なくとも1つの整数を含む、受信すること、および
少なくとも1つの整数に基づいてキャリア周波数を導出することを行うように構成される。
【００４４】
第2の態様の1つの実装形態において、キャリアが置かれる周波数帯域は、第1のラスタおよび第2のラスタから決定された値を含む。
【００４５】
第2の態様による受信デバイスは、通常のソリューションに優るいくつかの利点を提供する。利点は、キャリア周波数と、潜在的に、キャリア内の同期信号の周波数位置ならびにPRBおよびRSの周波数位置のうちのどちらか/両方とを受信デバイスが決定することをその受信デバイスが可能にすることである。
【００４６】
第2の態様による受信デバイスの実装形態において、ワイヤレス通信システムの周波数スペクトルは、複数の重なり合わない周波数帯域に分割され、少なくとも1つの整数は、周波数帯域に関連付けられ、受信デバイスは、
キャリア周波数を導出するために周波数帯域に基づいて少なくとも1つの整数をマッピングするようにさらに構成される。
【００４７】
本発明の第3の態様によれば、上述のおよびその他の目的は、送信デバイスのための方法によって達成され、方法は、
キャリア上で1つまたは複数の同期信号を少なくとも1つの受信デバイスに送信するステップであって、1つまたは複数の同期信号のうちの同期信号の周波数が、第1の周波数ラスタ上に置かれ、キャリアのキャリア周波数が、第2の周波数ラスタ上に展開され、1つまたは複数の同期信号のうちの2つの異なる同期信号の周波数が、第1のラスタ内の異なる周波数位置に置かれる、ステップと、
少なくとも1つの受信デバイスにキャリア周波数の指示を送信するステップであって、指示が、少なくとも1つの整数を含む、ステップとを含む。
【００４８】
第3の態様の1つの実装形態において、キャリアが置かれる周波数帯域は、第1のラスタおよび第2のラスタから決定された値を含む。
【００４９】
第3の態様の1つの実装形態において、方法は、少なくとも1つの同期信号を送信する前に少なくとも1つの同期信号を取得するステップをさらに含む。
【００５０】
第3の態様による方法は、第1の態様による送信デバイスの実装形態に対応する実装形態に拡張され得る。したがって、方法の実装形態は、送信デバイスの対応する実装形態の特徴を含む。
【００５１】
第3の態様による方法の利点は、第1の態様による対応するデバイスの請求項に関する利点と同じである。
【００５２】
本発明の第4の態様によれば、上述のおよびその他の目的は、受信デバイスのための方法によって達成され、方法は、
送信デバイスからキャリア上で1つまたは複数の同期信号を受信するステップであって、1つまたは複数の同期信号のうちの同期信号の周波数が、第1の周波数ラスタ上に置かれ、キャリアのキャリア周波数が、第2の周波数ラスタ上に展開され、1つまたは複数の同期信号のうちの2つの異なる同期信号の周波数が、第1のラスタ内の異なる周波数位置に置かれる、ステップと、
送信デバイスからキャリア周波数の指示を受信するステップであって、指示が、少なくとも1つの整数を含む、ステップと、
少なくとも1つの整数に基づいてキャリア周波数を導出するステップとを含む。
【００５３】
第4の態様の1つの実装形態において、キャリアが置かれる周波数帯域は、第1のラスタおよび第2のラスタから決定された値を含む。
【００５４】
第4の態様による方法は、第2の態様による受信デバイスの実装形態に対応する実装形態に拡張され得る。したがって、方法の実装形態は、受信デバイスの対応する実装形態の特徴を含む。
【００５５】
第4の態様による方法の利点は、第2の態様による対応するデバイスの請求項に関する利点と同じである。
【００５６】
本発明は、処理手段によって実行されるときに前記処理手段に本発明による任意の方法を実行させるコード手段を特徴とするコンピュータプログラムにも関する。さらに、本発明は、コンピュータ可読媒体および前記コンピュータプログラムを含み、前記コンピュータプログラムが、コンピュータ可読媒体に含まれ、群、すなわち、ROM(読み出し専用メモリ)、PROM(プログラマブルROM)、EPROM(消去可能PROM)、フラッシュメモリ、EEPROM(電気的EPROM)、およびハードディスクドライブからの1つまたは複数からなるコンピュータプログラム製品にも関する。
【００５７】
本発明さらなる応用および利点は、以下の詳細な説明から明らかになるであろう。
【００５８】
添付の図面は、本発明の異なる実施形態を明らかにし、説明するように意図されている。
【図面の簡単な説明】
【００５９】
【図１】本発明の実装形態による送信デバイスを示す図である。
【図２】本発明の実装形態による方法を示す図である。
【図３】本発明の実装形態による受信デバイスを示す図である。
【図４】本発明の実装形態による別の方法を示す図である。
【図５】本発明の実装形態によるワイヤレスシステムを示す図である。
【図６】本発明の実装形態によるキャリア周波数の数え上げ(enumeration)を示す図である。
【図７】本発明の実装形態による第1のインデックスおよび第2のインデックスを使用することによるキャリア周波数の指示を示す図である。
【図８ａ】本発明の実装形態による周波数帯域内のPRBグリッドを示す図である。
【図８ｂ】本発明の実装形態による周波数帯域内のPRBグリッドを示す図である。
【発明を実施するための形態】
【００６０】
図1は、本発明の実装形態による送信デバイス100を示す。図1に示される実装形態において、送信デバイス100は、プロセッサ102と、トランシーバ104と、メモリ106とを含む。プロセッサ102は、当技術分野において知られている通信手段108によってトランシーバ104およびメモリ106に結合される。送信デバイス100は、それぞれ、ワイヤレス通信システムおよび有線通信システムにおいてワイヤレス通信と有線通信との両方のために構成される可能性がある。ワイヤレス通信能力は、トランシーバ104に結合されたアンテナ110によって提供され、一方、有線通信能力は、トランシーバ104に結合された有線通信インターフェース112によって提供される。
【００６１】
送信デバイス100が本発明による特定のアクションおよび/または機能を実行するように構成されることは、本開示においては、送信デバイス100が前記アクションおよび/または機能を実行するように構成された、たとえば、プロセッサ102およびトランシーバ104などの好適な手段を含むことを意味すると理解されるべきである。
【００６２】
図1の送信デバイス100は、キャリア上で1つまたは複数の同期信号(SS)を少なくとも1つの受信デバイス300に送信するように構成され、1つまたは複数の同期信号のうちの同期信号の周波数は、第1の周波数ラスタ上に置かれ、キャリアのキャリア周波数は、第2の周波数ラスタ上に展開され、1つまたは複数の同期信号のうちの2つの異なる同期信号の周波数は、第1のラスタ内の異なる周波数位置に置かれる。送信デバイス100は、キャリア周波数の指示を少なくとも1つの受信デバイス300に送信するようにさらに構成される。本明細書における指示は、少なくとも1つの整数を含む。
【００６３】
図2は、図1に示された送信デバイスなどの送信デバイス100において実行される可能性がある対応する方法200の流れ図を示す。方法200は、キャリア上で1つまたは複数の同期信号を少なくとも1つの受信デバイス300に送信するステップ(202)であって、1つまたは複数の同期信号のうちの同期信号の周波数が、第1の周波数ラスタ上に置かれ、キャリアのキャリア周波数が、第2の周波数ラスタ上に展開され、1つまたは複数の同期信号のうちの2つの異なる同期信号の周波数が、第1のラスタ内の異なる周波数位置に置かれる、ステップ(202)を含む。方法は、キャリア周波数の指示を少なくとも1つの受信デバイス300に送信するステップ(204)をさらに含む。指示は、少なくとも1つの整数を含む。
【００６４】
図3は、本発明の実装形態による受信デバイス300を示す。図3に示される実装形態において、受信デバイス300は、プロセッサ302と、トランシーバ304と、メモリ306とを含む。プロセッサ302は、当技術分野において知られている通信手段308によってトランシーバ304およびメモリ306に結合される。受信デバイス300は、トランシーバ302に結合されたアンテナ308をさらに含み、これは、受信デバイス300が、ワイヤレス通信システムにおけるワイヤレス通信のために構成されることを意味する。
【００６５】
受信デバイス300が本発明による特定のアクションおよび/または機能を実行するように構成されることは、本開示においては、受信デバイス300が前記アクションおよび/または機能を実行するように構成された、たとえば、プロセッサ302およびトランシーバ304などの好適な手段を含むことを意味すると理解されるべきである。
【００６６】
受信デバイス300は、送信デバイス100からキャリア上で1つまたは複数の同期信号を受信するように構成され、1つまたは複数の同期信号のうちの同期信号の周波数は、第1の周波数ラスタ上に置かれ、キャリアのキャリア周波数は、第2の周波数ラスタ上に展開され、1つまたは複数の同期信号のうちの2つの異なる同期信号の周波数は、第1のラスタ内の異なる周波数位置に置かれる。受信デバイス300は、送信デバイス100からキャリア周波数の指示を受信するようにさらに構成され、指示は、少なくとも1つの整数を含む。受信デバイス300は、少なくとも1つの整数に基づいてキャリア周波数を導出するようにさらに構成される。キャリア周波数が少なくとも1つの整数からどのようにして導出されるかの例が、以下の開示で説明される。
【００６７】
図4は、図3に示された受信デバイスなどの受信デバイス300において実行される可能性がある対応する方法400の流れ図を示す。方法400は、送信デバイス100からキャリア上で1つまたは複数の同期信号を受信するステップ(402)であって、1つまたは複数の同期信号のうちの同期信号の周波数が、第1の周波数ラスタ上に置かれ、キャリアのキャリア周波数が、第2の周波数ラスタ上に展開され、1つまたは複数の同期信号のうちの2つの異なる同期信号の周波数が、第1のラスタ内の異なる周波数位置に置かれる、ステップ(402)を含む。方法400は、送信デバイス100からキャリア周波数の指示を受信するステップ(404)であって、指示が、少なくとも1つの整数を含む、ステップ(404)をさらに含む。方法400は、少なくとも1つの整数に基づいてキャリア周波数を導出するステップ(406)をさらに含む。
【００６８】
図5は、本発明の実装形態によるワイヤレス通信システム500を示す。ワイヤレス通信システム500は、ワイヤレス通信システム500内で動作するように構成された送信デバイス100および受信デバイス300を含む。この例においては、ダウンリンク(DL)の場合が、示され、つまり、送信デバイス100が、(基地局などの)ネットワークノードの一部であり、一方、受信デバイス300は、(UEなどの)クライアントデバイスの一部である。ワイヤレス通信システム500において、同期信号(SS)が、送信デバイス100によって送信され、受信デバイス300によって受信される。簡単にするために、図5に示されるワイヤレス通信システム500は、1つの送信デバイス100および1つの受信デバイス300のみを含む。しかし、ワイヤレス通信システム500は、本発明の範囲を逸脱することなく、任意の数の送信デバイスおよび任意の数の受信デバイスを含む可能性がある。
【００６９】
このソリューションはダウンリンクの場合に限定されず、したがって、アップリンク(UL)において、またはダウンリンクとアップリンクとの両方において実装され得ることに留意されたい。したがって、送信デバイス100および受信デバイス300は、実装形態の場合に応じてネットワークノードおよび/またはクライアントデバイスに関連付けられる可能性がある。
【００７０】
一例において、ワイヤレス通信システム500の周波数スペクトルは、複数の重なり合わない周波数帯域に分割され、少なくとも1つの整数が、周波数帯域に関連付けられる。この場合、受信デバイス300は、キャリア周波数を導出するために、周波数帯域に基づいて少なくとも1つの整数をマッピングするように構成される。
【００７１】
本明細書におけるキャリア周波数の指示は、いくつかの異なる方法を使用して、たとえば、アクセス手順中のいつ受信デバイス300がキャリア周波数を認識する必要があるかに応じて送信デバイス100によって受信デバイス300にシグナリングされる可能性がある。送信デバイス100は、したがって、マスタ情報ブロック(MIB)、残システム情報(RMSI)、他システム情報(OSI)、および無線リソース制御(RRC)のうちの少なくとも1つの内で指示を送信するように構成される。
【００７２】
MIBは、ブロードキャストチャネルにおいてキャリア周波数情報を届ける最速の方法を提供する。一方、ブロードキャストチャネルのペイロードを最小化することが有益である。
【００７３】
RMSIは、NR-PDCCHによってスケジューリングされるNR-PDSCHに含まれることが可能であり、NR-PDCCH/NR-PDSCHの構成に関連する情報が、NR-MIBに含まれる。キャリア周波数情報がRMSIに含まれる場合、それは、RMSIがキャリア周波数を知ることなく検出可能であるべきであることを示唆する。したがって、RMSIを決定するためのNR-PDCCH/NR-PDSCH内のリソースは、キャリア周波数に依存すべきでなく、NR-SSおよび/またはNR-PBCHから決定される可能性がある。
【００７４】
OSIは、NR-PDCCHによってスケジューリングされるNR-PDSCHに含まれることが可能であり、NR-PDCCH/NR-PDSCHの構成に関連する情報が、NR-MIBおよび/またはRMSIに含まれる。キャリア周波数情報がOSIに含まれる場合、それは、OSIがキャリア周波数を知ることなく検出可能であるべきであることを示唆する。したがって、OSIを決定するためのNR-PDCCH/NR-PDSCH内のリソースは、キャリア周波数に依存すべきでなく、NR-SSおよび/またはNR-PBCHから決定される可能性がある。
【００７５】
本発明は、キャリア周波数の指示がNR-MIB、RMSI、およびOSIのいずれかによって一緒に送信される場合にも適用可能である。
【００７６】
RRCシグナリングがシグナリングのために使用され、キャリア周波数がモビリティの測定のためにより上位のレイヤにおいてセルを定義するために使用されるとき、セルIDとキャリア周波数との両方を含むセルの説明が、RRCによってシグナリングされる可能性がある。この場合、RRCシグナリングがNR-PDSCHによって運ばれるので、キャリア周波数をシグナリングするオーバーヘッドは、比較的重大ではない。
【００７７】
以下で、本発明の可能な実装形態が、示され、説明される。この点に関して、同期信号が最小限の離隔|fSS,i - fSS,i+1|=ΔfSS Hzをもたらす第1の周波数ラスタ{fSS,i}(つまり、1組の周波数)に置かれる可能性があり、キャリアが最小限の離隔|fC,i - fC,i+1|=ΔfC Hzをもたらす第2の周波数ラスタ{fC,i}に置かれる可能性があるワイヤレス通信システム500が、考察される。第1の周波数ラスタおよび第2の周波数ラスタは、そのようなシステムにおいて、周波数帯域に依存する可能性があり、つまり、周波数間隔を表す値ΔfSS(fSS,i)およびΔfC(fC,i)は、定数でない可能性があり、周波数の関数である可能性がある。しかし、本発明は上述の種類のワイヤレス通信システムに限定されないことが、留意される。
【００７８】
本発明の1つの実装形態において、キャリア周波数は、チャネル番号Cとして示される。この場合、チャネル番号からキャリア周波数へのマッピングC→fC,iは、予め定義され、受信デバイス300に知られている可能性がある。例として、マッピングは、FDL = FDL_low +ΔfC(C - NOffs_DL)のような閉形式(closed form)の式を使用して実行される可能性があり、定数FDL_lowおよびNOffs_DLは、予め定義されることが可能であり、FDL = fC,iである。
【００７９】
1つの具現化においては、N個のチャネル周波数
【００８０】
【数１】
2020511074.tif 000003
【００８１】
が、0≦C≦N - 1から数え上げられる可能性がある。この場合、同期信号の周波数位置がチャネル周波数のサブセットであるという要件が存在せず、つまり、{fSS,i}⊆{fC,i}が保たれない可能性がある。一方、この実装形態は、同期信号の周波数位置がチャネル周波数のサブセットであることを妨げない。
【００８２】
一例においては、キャリア周波数がチャネル番号Cとして示されるとき、単一の数え上げがすべての周波数帯域に適用され、つまり、各チャネル番号が一意のキャリア周波数に関連付けられる。つまり、キャリア周波数へのチャネル番号のマッピングC→fC,iが、1対1のマッピングであり、チャネル番号Cのあらゆる値が、一意の周波数fC,iに関連付けられる。この実装形態は、周波数帯域が2つの帯域、すなわち、帯域Aおよび帯域Bに分割され、8つのキャリア周波数が示される図6の上の軸に示される。上の軸においては、単一の数え上げが適用され、したがって、3ビットがキャリア周波数を表すために必要とされる。これは、キャリア周波数をあいまいさを残さずに決定する簡単な方法を提供するが、サイズNの1組のチャネル番号がシステムのすべてのキャリア周波数を包含することを求める。マッピングは、周波数帯域に固有であり、予め定義される可能性があり、たとえば、FDL = FDL_low +ΔfC(C)(C - NOffs_DL)であり、ラスタ値は、チャネル番号の関数、すなわち、ΔfC(C)である。
【００８３】
別の例においては、キャリア周波数がチャネル番号Cとして示されるとき、複数の数え上げが、すべての周波数帯域に適用される。これは、スペクトルを予め定義されたばらばらの周波数帯域に分割し、各周波数帯域のために独立して数え上げを実行することによって実現され得る。したがって、ワイヤレス通信システム500の周波数スペクトルは、複数の重なり合わない周波数帯域に分割され、チャネル番号Cが、周波数帯域内の一意のキャリア周波数に関連付けられる。
【００８４】
したがって、チャネル番号からキャリア周波数へのマッピングC→fC,iは、1対多のマッピングであり、チャネル番号Cのあらゆる値が、2つ以上の周波数fC,iと関連付けられる可能性がある。しかし、これは、受信デバイス300がどの周波数帯域においてその受信デバイス300が同期信号ブロックを検出しているのかを知っているので、受信デバイス300に一意のマッピングC→fC,iを引き続き提供する。しかし、マッピングは、異なる周波数帯域において異なる可能性があり、たとえば、マッピングは、周波数帯域に固有であり、予め定義される可能性があり、たとえば、FDL = FDL_low +ΔfC(C)(C - NOffs_DL)であり、ラスタ値は、チャネル番号の関数ΔfC(C)であることが留意される。この実装形態は、数え上げが各帯域AおよびBに関して繰り返される図6の下の軸に示される。したがって、この場合、キャリア周波数を表すために2ビットが必要とされる。これの利点は、キャリア周波数についての情報を符号化するためにより少ないビットが必要とされることであり、たとえば、N個の周波数位置がM個の周波数帯域に分割されるとき、log2Nビットからlog2(N/M)への削減である。大きなシグナリングのオーバーヘッドが所与のチャネルに関して比較的小さなエリアカバレッジ(つまり、比較的高い符号化率(code rate))を招きながら、キャリア周波数の数が非常に多い可能性があるので、キャリア周波数を示すために必要とされるビット数を最小化することが1つの目的である。エリアカバレッジは、同期信号、ブロードキャスト信号などの初期アクセスのために使用されるチャネルにとって、およびシステム情報を配信するチャネルにとって特に重要である。たとえば、測定対象を定義するためにキャリア周波数がセルIDと一緒に使用されるとき、受信デバイス300が正しいキャリア周波数を一意に決定することができるために、指定された周波数帯域についてのさらなる情報が必要とされる可能性がある。
【００８５】
1つの実装形態においては、チャネル番号Cが、MIB内のlog2SCビットを使用して示されることが可能であり、SCは、所与の周波数帯域内のサブキャリアの総数である。これは、シグナリングのオーバーヘッドと引き換えに最大限の展開の柔軟性を与える。
【００８６】
本発明のさらに可能な実装形態は、2つの隣接する同期信号の間の周波数間隔がワイヤレス通信システム500のサブキャリア間隔の倍数であるときに適用され、第1の周波数ラスタは、第2の周波数ラスタのサブセットである。言い換えると、2つの隣接する同期信号の周波数位置の間の距離ΔfSSは、ワイヤレス通信システム500によってサポートされるサブキャリア間隔(SCS)の倍数である。さらに、同期信号の周波数位置は、チャネル周波数のサブセットであり、つまり、{fSS,i}⊆{fC,i}である。本明細書において、SCSの倍数は、2つの同期信号の周波数位置の間の差ΔfSSが特定の所与のSCSに関してPRBの帯域幅Bの倍数n(SCSの倍数でもある)であり、ΔfSS = n・Bであり、nが正の整数である場合を含む可能性がある。
【００８７】
1つの実装形態においては、上述の想定が持続するとき、キャリア周波数が相対的なチャネル番号ΔCを使用して示され、つまり、-(N - 1)≦ΔC≦N - 1であることが本明細書において開示される。この場合、受信デバイス300は、チャネルラスタ上にある同期信号ブロックの周波数位置fSS,iを検出し、予め定義されたマッピング規則に基づいて相対的なキャリア周波数を決定し、ΔC→ΔfC,iである。たとえば、ΔfC,iは、キャリア周波数ラスタの倍数である可能性があり、ΔfC =|fC,i - fC,i+1|である。キャリア周波数は、相対的な番号fSS,i +ΔfC,iに基づいて導出される。{fSS,i}⊆{fC,i}であるので、当然、fSS,i +ΔfC,i⊆{fC,i}となる。相対的なチャネル番号を表すためのビット数は、log2(2N + 1)である可能性があり、Nは、同期信号の周波数の数である。
【００８８】
別の実装形態においては、上述の想定が持続するとき、キャリア周波数が相対的なキャリア番号ΔCを使用して示され、つまり、-(N - 1)≦ΔC≦N - 1であることが本明細書において開示される。この場合、受信デバイス300は、チャネルラスタ上にある周波数位置fWBを知らされ、予め定義されたマッピング規則に基づいて相対的なキャリア周波数を決定し、ΔC→ΔfC,iである。たとえば、ΔfC,iは、キャリア周波数ラスタの倍数である可能性があり、ΔfC =|fC,i - fC,i+1|である。キャリア周波数は、相対的な番号fWB +ΔfC,iに基づいて導出される。fWB∈{fC,i}であるので、当然、fWB +ΔfC,i⊆{fC,i}となる。相対的なチャネル番号を表すためのビット数は、log2(2N + 1)である可能性があり、Nは、この周波数帯域上のチャネルラスタの数である。
【００８９】
1つの利点は、数Nが最大のキャリア帯域幅、つまり、キャリア内に置かれる可能性があるキャリア周波数の最大数から決定される可能性があることであることが理解される。これは、キャリア周波数が同期信号ブロックの周波数からキャリア帯域幅よりも離れて置かれない可能性があるので、Nの最小値を提供することが理解される。たとえば、最大のキャリア帯域幅がW Hzであるとすると、当然、
【００９０】
【数２】
2020511074.tif 000004
【００９１】
がxよりも大きい最小の整数を表すような天井演算子を使用して
【００９２】
【数３】
2020511074.tif 000005
【００９３】
となる。さらに、最大のキャリア帯域幅は、周波数帯域に依存する可能性があり、たとえば、非常に広いキャリアが、比較的高い周波数帯域において使用される可能性がある。また、第2のラスタは、異なる周波数帯域において異なる可能性がある。したがって、数Nは、
【００９４】
【数４】
2020511074.tif 000006
【００９５】
のように周波数に依存する可能性がある。
【００９６】
第1のラスタ上に置くことを必要とすることに加えて、キャリア内の同期信号ブロックの位置に関してその他の制約が想定される可能性がある場合、数Nが、さらに減らされる可能性がある。たとえば、キャリア周波数が同期信号ブロックの周波数fSS,iからX Hz(Xは最大のキャリア帯域幅よりも小さい)よりも離れて置かれ得ないとすると、当然、
【００９７】
【数５】
2020511074.tif 000007
【００９８】
となる。
【００９９】
数Nは、単一の数え上げに従い、ワイヤレス通信システム500のすべての同期信号の周波数に基づいて導出される可能性がある。
【０１００】
数Nは、別の場合、複数の数え上げに従う可能性がある。これは、スペクトルを予め定義されたばらばらの周波数帯域に分割し、各周波数帯域のために独立して数え上げを実行することによって実現される。したがって、マッピングΔC→ΔfC,iは、1対多のマッピングであり、あらゆる値ΔCが、2つ以上の周波数ΔfC,iに関連付けられる可能性がある。しかし、これは、受信デバイス300がどの周波数帯域においてその受信デバイス300が同期信号ブロックを検出しているのかを知っているので、受信デバイス300に一意のマッピングΔC→fC,iを引き続き提供する。これの利点は、キャリア周波数についての情報を符号化するためにより少ないビットが使用される必要があることであり、たとえば、N個の周波数位置がM個の周波数帯域に分割されるとき、log2(2N + 1)ビットからlog2(2N/M)への削減である。たとえば、測定対象を定義するためにキャリア周波数がセルIDと一緒に使用されるとき、受信デバイス300が正しいキャリア周波数を一意に決定することができるために、指定された周波数帯域についてのさらなる情報が必要とされる可能性がある。
【０１０１】
本発明の別の実装形態において、上述の想定が持続するとき、キャリア周波数は、第1のインデックスおよび第2のインデックスを使用して示される。第1のインデックスは、同期信号の周波数位置に対して相対的な第1の周波数位置を示し、第2のインデックスは、第1のインデックスによって示される第1の周波数位置に対して相対的な第2の周波数位置を示す。
【０１０２】
本発明の可能な実装形態において、第1の周波数位置は、PRBの数または第1の周波数ラスタの解像度で与えられる。したがって、第2の周波数位置は、第2の周波数ラスタの解像度で与えられる。ラスタの解像度は、本明細書においては、ラスタの2つの隣接する周波数の間の周波数間隔を意味する。
【０１０３】
この実装形態の1つの具現化においては、2つの同期信号の周波数位置の間の距離ΔfSSが特定の所与のSCSに関してPRBの帯域幅Bの倍数nであり、ΔfSS = n・Bであり、nが正の整数であると想定される。したがって、第1のインデックス-(M - 1)≦δ≦M - 1は、キャリア周波数が置かれる検出された同期信号の周波数位置からのオフセットを、たとえば、PRBの帯域幅のステップBまたは第1の周波数ラスタのステップ(SSラスタステップもしくはSSラスタ解像度とも表される)に換算して決定する。1つの具現化において、値Mは、周波数帯域にぴったり合う可能性があるPRBの数または第1の周波数ラスタのステップΔfSSを決定する。別の具現化において、値Mは、最大のキャリア帯域幅にぴったり合う可能性があるPRBの数または第1の周波数ラスタのステップΔfSSを決定する。これは、同期信号とキャリア周波数との間の距離が(周波数帯域に依存する可能性がある)最大のキャリア帯域幅よりも大きくなり得ないので値Mを小さくする可能性があることが理解される。第2のインデックスは、2つの連続する同期信号の周波数によって制限されたPRB内のまたは周波数領域内のキャリア周波数の位置を与える。たとえば、図7において、キャリア周波数は、検出された同期信号ブロックの周波数(すなわち、fSS,i)から3PRB(第2のインデックス)離れて置かれ、キャリア周波数は、第1のインデックスから導出される位置から第2のキャリア周波数(第1のインデックス)上に置かれる。これは、第1のインデックスが第2の周波数ラスタよりも大きなステップまたは粒度を有し、キャリア周波数が同期信号ブロックの周波数からいくつのPRBまたは同期信号ラスタ位置だけ離れて置かれる可能性があるかに関する制約が存在し、たとえば、最大のキャリア帯域幅によって制限されると想定して、キャリア周波数を表すためのビット数を削減することを可能にする。
【０１０４】
本発明の1つの帰結は、受信デバイス300がキャリア周波数を決定すると、キャリア内のPRBの周波数位置および/またはRSの周波数位置を、それらの周波数位置がキャリア周波数に関連付けられると想定して受信デバイス300が決定し得るということである。たとえば、キャリア周波数およびシステム帯域幅を用いる受信デバイス300にシステム帯域幅がシグナリングされる場合、キャリア周波数帯域内のPRBの位置が決定され得る。各システム帯域幅に関して、1つのPRBの位置が決定される。
【０１０５】
一例においては、周波数帯域内のPRBの総数Zが奇数である場合、PRB#(Z+1)/2の中心周波数が、キャリア周波数と位置を揃えられる。この場合、PRBの位置は、図8(a)に示されるように置かれる。周波数帯域内のPRBの総数(Z)が偶数である場合、キャリア周波数は、PRB#(Z/2)とPRB#(Z/2+1)との間に置かれ、PRBは、図8(b)に示されるように置かれる。
【０１０６】
キャリア内の所与の周波数(たとえば、キャリア周波数)からのPRBの位置を揃えることの利点は、PRBがキャリアの間で周波数位置を揃えられることである。これは、セル間干渉調整(inter-cell interference coordination)を利用する技術の使用を可能にする。
【０１０７】
本明細書におけるネットワークノードは、無線ネットワークノード、アクセスネットワークノード、アクセスポイント、または基地局、たとえば、使用されるテクノロジーおよび用語に応じて一部のネットワークにおいて送信機、「eNB」、「eNodeB」、「NodeB」、もしくは「Bノード」と呼ばれる可能性がある無線基地局(RBS)と表される可能性がある。無線ネットワークノードは、送信電力と、さらにそれによるセルサイズとに基づいて、たとえば、マクロeNodeB、ホームeNodeB、またはピコ基地局などの異なるクラスである可能性がある。無線ネットワークノードは、ワイヤレス媒体(WM)とのIEEE 802.11に準拠した媒体アクセス制御(MAC)および物理レイヤ(PHY)インターフェースを含む任意のデバイスである局(STA)であることが可能である。無線ネットワークノードは、第5世代(5G)ワイヤレスシステムに対応する基地局である可能性もある。
【０１０８】
本明細書におけるクライアントデバイスは、ユーザデバイス、ユーザ機器(UE)、移動局、モノのインターネット(IoT)デバイス、センサーデバイス、ワイヤレス端末、および/またはモバイル端末と表される可能性があり、セルラー無線システムと呼ばれる場合もあるワイヤレス通信システム内でワイヤレスで通信することを可能にされる。さらに、UEは、ワイヤレス能力を有するモバイル電話、セルラー電話、コンピュータタブレット、またはラップトップと呼ばれる可能性がある。この文脈のUEは、たとえば、別の受信機またはサーバなどの別のエンティティと無線アクセスネットワークを介して音声および/またはデータを通信することを可能にされたポータブルデバイス、ポケット(pocket-storable)デバイス、ハンドヘルドデバイス、コンピュータを含むデバイス、または車載モバイルデバイスである可能性がある。UEは、ワイヤレス媒体(WM)とのIEEE 802.11に準拠した媒体アクセス制御(MAC)および物理レイヤ(PHY)インターフェースを含む任意のデバイスである局(STA)であることが可能である。UEは、3GPPに関連するLTEおよびLTEアドバンスト、WiMAXおよびその進化型、ならびにニューラジオなどの第5世代ワイヤレステクノロジーにおける通信のために構成される可能性もある。
【０１０９】
さらに、本発明の実施形態によるいずれの方法も、処理手段によって実行されるときに処理手段に方法のステップを実行させるコード手段を有するコンピュータプログラムに実装される可能性がある。コンピュータプログラムは、コンピュータプログラム製品のコンピュータ可読媒体に含まれる。コンピュータ可読媒体は、基本的に、ROM(読み出し専用メモリ)、PROM(プログラマブル読み出し専用メモリ)、EPROM(消去可能PROM)、フラッシュメモリ、EEPROM(電気的消去可能PROM)、またはハードディスクドライブなどの任意のメモリを含む可能性がある。
【０１１０】
さらに、ネットワークノードおよびクライアントデバイスが、このソリューションを実行するために必要な通信機能を、たとえば、機能、手段、ユニット、要素などの形態で含むことは、当業者によって認められる。その他のそのような手段、ユニット、要素、および機能の例は、このソリューションを実行するために一緒に好適に配列されるプロセッサ、メモリ、バッファ、制御論理、エンコーダ、デコーダ、レートマッチャ(rate matcher)、デレートマッチャ(de-rate matcher)、マッピングユニット、乗算器、判断ユニット、選択ユニット、スイッチ、インターリーバ、デインターリーバ、変調器、復調器、入力、出力、アンテナ、増幅器、受信機ユニット、送信機ユニット、DSP、MSD、TCMエンコーダ、TCMデコーダ、電源ユニット、パワーフィーダ(power feeder)、通信インターフェース、通信プロトコルなどである。
【０１１１】
特に、ネットワークノードおよびクライアントデバイスのプロセッサは、たとえば、中央演算処理装置(CPU)、処理ユニット、処理回路、プロセッサ、特定用途向け集積回路(ASIC)、マイクロプロセッサ、または命令を解釈し、実行する可能性があるその他の処理論理の1つまたは複数のインスタンスを含む可能性がある。したがって、表現「プロセッサ」は、たとえば、上述の処理回路のいずれか、一部、またはすべてなどの複数の処理回路を含む処理回路を表す可能性がある。処理回路は、データバッファリング機能と、呼処理制御、ユーザインターフェース制御などのデバイス制御機能とを含む、データの入力、出力、および処理のためのデータ処理機能をさらに実行する可能性がある。
【０１１２】
最後に、本発明は上述の実施形態に限定されず、添付の独立請求項の範囲内のすべての実施形態にも関し、包含することを理解されたい。
【符号の説明】
【０１１３】
100  送信デバイス
102  プロセッサ
104  トランシーバ
106  メモリ
108  通信手段
110  アンテナ
112  有線通信インターフェース
300  受信デバイス
302  プロセッサ
304  トランシーバ
306  メモリ
308  通信手段
500  ワイヤレス通信システム
【図１】
2020511074.tif 000008
【図２】
2020511074.tif 000009
【図３】
2020511074.tif 000010
【図４】
2020511074.tif 000011
【図５】
2020511074.tif 000012
【図６】
2020511074.tif 000013
【図７】
2020511074.tif 000014
【図８（ａ）】
2020511074.tif 000015
【図８（ｂ）】
2020511074.tif 000016
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
ワイヤレス通信システムのための送信デバイスであって、
キャリア上で1つまたは複数の同期信号を少なくとも1つの受信デバイスに送信することであって、前記1つまたは複数の同期信号のうちの同期信号の周波数が、第1の周波数ラスタ上に置かれ、前記キャリアのキャリア周波数が、第2の周波数ラスタ上に展開され、前記1つまたは複数の同期信号のうちの2つの異なる同期信号の周波数が、前記第1のラスタ内の異なる周波数位置に置かれる、送信すること、および
前記少なくとも1つの受信デバイスに前記キャリア周波数の指示を送信することであって、前記指示が、少なくとも1つの整数を含む、送信することを行うように構成される、送信デバイス。
【請求項２】
前記少なくとも1つの整数が、チャネル番号である請求項1に記載の送信デバイス。
【請求項３】
前記チャネル番号が、一意のキャリア周波数に関連付けられる請求項2に記載の送信デバイス。
【請求項４】
前記ワイヤレス通信システムの周波数スペクトルが、複数の重なり合わない周波数帯域に分割され、前記チャネル番号が、周波数帯域内の一意のキャリア周波数に関連付けられる請求項2または3に記載の送信デバイス。
【請求項５】
前記チャネル番号の範囲が、前記周波数帯域に応じて決まる請求項4に記載の送信デバイス。
【請求項６】
2つの隣接する同期信号の間の周波数間隔が、前記ワイヤレス通信システムのサブキャリア間隔の倍数であり、前記第1の周波数ラスタが、前記第2の周波数ラスタのサブセットである請求項1から5のいずれか一項に記載の送信デバイス。
【請求項７】
前記少なくとも1つの整数が、相対的なチャネル番号である請求項6に記載の送信デバイス。
【請求項８】
前記相対的なチャネル番号が、前記ワイヤレス通信システムの最大のキャリア帯域幅に依存する請求項7に記載の送信デバイス。
【請求項９】
前記相対的なチャネル番号の範囲が、前記最大のキャリア帯域幅に依存する請求項8に記載の送信デバイス。
【請求項１０】
前記最大のキャリア帯域幅が、周波数に依存する請求項8または9に記載の送信デバイス。
【請求項１１】
前記少なくとも1つの整数が、前記同期信号の前記周波数に対して相対的な第1の周波数位置を示す第1のインデックス、および前記第1の周波数位置に対して相対的な第2の周波数位置を示す第2のインデックスである請求項6に記載の送信デバイス。
【請求項１２】
前記第1の周波数位置が、物理リソースブロックの数で与えられ、前記第2の周波数位置が、前記第2の周波数ラスタの解像度で与えられる請求項11に記載の送信デバイス。
【請求項１３】
前記第1の周波数位置が、前記第1の周波数ラスタの解像度で与えられ、前記第2の周波数位置が、前記第2の周波数ラスタの解像度で与えられる請求項11に記載の送信デバイス。
【請求項１４】
マスタ情報ブロック(MIB)、残システム情報(RMSI)、他システム情報(OSI)、および無線リソース制御(RRC)のうちの少なくとも1つの内で前記指示を送信するように構成された請求項1から13のいずれか一項に記載の送信デバイス。
【請求項１５】
ワイヤレス通信システムのための受信デバイスであって、
送信デバイスからキャリア上で1つまたは複数の同期信号を受信することであって、前記1つまたは複数の同期信号のうちの同期信号の周波数が、第1の周波数ラスタ上に置かれ、前記キャリアのキャリア周波数が、第2の周波数ラスタ上に展開され、前記1つまたは複数の同期信号のうちの2つの異なる同期信号の周波数が、前記第1のラスタ内の異なる周波数位置に置かれる、受信すること、
前記送信デバイスから前記キャリア周波数の指示を受信することであって、前記指示が、少なくとも1つの整数を含む、受信すること、および
前記少なくとも1つの整数に基づいて前記キャリア周波数を導出することを行うように構成される、受信デバイス。
【請求項１６】
前記ワイヤレス通信システムの周波数スペクトルが、複数の重なり合わない周波数帯域に分割され、前記少なくとも1つの整数が、周波数帯域に関連付けられ、前記受信デバイスが、
前記キャリア周波数を導出するために前記周波数帯域に基づいて前記少なくとも1つの整数をマッピングするように構成される請求項15に記載の受信デバイス。
【請求項１７】
前記少なくとも1つの整数が、チャネル番号である請求項15に記載の受信デバイス。
【請求項１８】
前記チャネル番号が、一意のキャリア周波数に関連付けられる請求項17に記載の受信デバイス。
【請求項１９】
2つの隣接する同期信号の間の周波数間隔が、前記ワイヤレス通信システムのサブキャリア間隔の倍数であり、前記第1の周波数ラスタが、前記第2の周波数ラスタのサブセットである請求項15、17、および18のいずれか一項に記載の受信デバイス。
【請求項２０】
マスタ情報ブロック(MIB)、残システム情報(RMSI)、他システム情報(OSI)、および無線リソース制御(RRC)のうちの少なくとも1つの内で前記指示を受信する請求項15、17から19のいずれか一項に記載の受信デバイス。
【請求項２１】
送信デバイスのための方法であって、
キャリア上で1つまたは複数の同期信号を少なくとも1つの受信デバイスに送信するステップであって、前記1つまたは複数の同期信号のうちの同期信号の周波数が、第1の周波数ラスタ上に置かれ、前記キャリアのキャリア周波数が、第2の周波数ラスタ上に展開され、前記1つまたは複数の同期信号のうちの2つの異なる同期信号の周波数が、前記第1のラスタ内の異なる周波数位置に置かれる、ステップと、
前記少なくとも1つの受信デバイスに前記キャリア周波数の指示を送信するステップであって、前記指示が、少なくとも1つの整数を含む、ステップとを含む、方法。
【請求項２２】
前記少なくとも1つの整数が、チャネル番号である請求項21に記載の方法。
【請求項２３】
前記チャネル番号が、一意のキャリア周波数に関連付けられる請求項22に記載の方法。
【請求項２４】
前記ワイヤレス通信システムの周波数スペクトルが、複数の重なり合わない周波数帯域に分割され、前記チャネル番号が、周波数帯域内の一意のキャリア周波数に関連付けられる請求項22または23に記載の方法。
【請求項２５】
前記チャネル番号の範囲が、前記周波数帯域に応じて決まる請求項24に記載の方法。
【請求項２６】
2つの隣接する同期信号の間の周波数間隔が、前記ワイヤレス通信システムのサブキャリア間隔の倍数であり、前記第1の周波数ラスタが、前記第2の周波数ラスタのサブセットである請求項21から25のいずれか一項に記載の方法。
【請求項２７】
マスタ情報ブロック(MIB)、残システム情報(RMSI)、他システム情報(OSI)、および無線リソース制御(RRC)のうちの少なくとも1つの内で前記指示を送信するように構成された請求項21から26のいずれか一項に記載の方法。
【請求項２８】
受信デバイスのための方法であって、
送信デバイスからキャリア上で1つまたは複数の同期信号を受信するステップであって、前記1つまたは複数の同期信号のうちの同期信号の周波数が、第1の周波数ラスタ上に置かれ、前記キャリアのキャリア周波数が、第2の周波数ラスタ上に展開され、前記1つまたは複数の同期信号のうちの2つの異なる同期信号の周波数が、前記第1のラスタ内の異なる周波数位置に置かれる、ステップと、
前記送信デバイスから前記キャリア周波数の指示を受信するステップであって、前記指示が、少なくとも1つの整数を含む、ステップと、
前記少なくとも1つの整数に基づいて前記キャリア周波数を導出するステップとを含む、方法。
【請求項２９】
前記ワイヤレス通信システムの周波数スペクトルが、複数の重なり合わない周波数帯域に分割され、前記少なくとも1つの整数が、周波数帯域に関連付けられ、前記受信デバイスが、
前記キャリア周波数を導出するために前記周波数帯域に基づいて前記少なくとも1つの整数をマッピングするように構成される請求項28に記載の方法。
【請求項３０】
前記キャリアが置かれる周波数帯域が、前記第1のラスタおよび前記第2のラスタから決定された値をさらに含む請求項28に記載の方法。
【請求項３１】
前記少なくとも1つの整数が、チャネル番号である請求項28に記載の方法。
【請求項３２】
前記チャネル番号が、一意のキャリア周波数に関連付けられる請求項28に記載の方法。
【請求項３３】
2つの隣接する同期信号の間の周波数間隔が、前記ワイヤレス通信システムのサブキャリア間隔の倍数であり、前記第1の周波数ラスタが、前記第2の周波数ラスタのサブセットである請求項28から32のいずれか一項に記載の方法。
【請求項３４】
マスタ情報ブロック(MIB)、残システム情報(RMSI)、他システム情報(OSI)、および無線リソース制御(RRC)のうちの少なくとも1つの内で前記指示を受信する請求項28、31から33のいずれか一項に記載の方法。
【手続補正２】
【補正対象書類名】明細書
【補正対象項目名】０１１２
【補正方法】変更
【補正の内容】
【０１１２】
最後に、本発明は上述の実施形態に限定されず、添付の独立請求項の範囲内のすべての実施形態にも関し、包含することを理解されたい。
本発明のさらなる実施形態:
送信デバイス(100)のための方法(200)であって、
キャリア上で1つもしくは複数の同期信号を少なくとも1つの受信デバイス(300)に送信するステップ(202)であって、1つもしくは複数の同期信号のうちの同期信号の周波数が、第1の周波数ラスタ上に置かれ、キャリアのキャリア周波数が、第2の周波数ラスタ上に展開され、1つもしくは複数の同期信号のうちの2つの異なる同期信号の周波数が、第1のラスタ内の異なる周波数位置に置かれる、ステップ(202)と、
少なくとも1つの受信デバイス(300)にキャリア周波数の指示を送信するステップ(204)であって、指示が、少なくとも1つの整数を含む、ステップ(204)とを含む、方法(200)を含む実施形態1a、または
前記少なくとも1つの整数がチャネル番号である実施形態1aに記載の方法(200)を含む実施形態1b、または
チャネル番号が一意のキャリア周波数に関連付けられる実施形態1bに記載の方法(200)を含む実施形態1c、または
ワイヤレス通信システム(500)の周波数スペクトルが、複数の重なり合わない周波数帯域に分割され、チャネル番号が、周波数帯域内の一意のキャリア周波数に関連付けられる実施形態1bもしくは1cに記載の方法(200)を含む実施形態1d、または
チャネル番号の範囲が周波数帯域に応じて決まる実施形態1eに記載の方法(200)を含む実施形態1eのいずれか1つによる方法(200)であって、
上述の実施形態1aから1eのいずれかによれば、
2つの隣接する同期信号の間の周波数間隔が、ワイヤレス通信システム(500)のサブキャリア間隔の倍数であり、第1の周波数ラスタが、第2の周波数ラスタのサブセットであり、
少なくとも1つの整数が、相対的なチャネル番号であるような、方法(200)を含む実施形態1。
相対的なチャネル番号が、ワイヤレス通信システム(500)の最大のキャリア帯域幅に依存する実施形態1に記載の方法(200)を含む実施形態2。
相対的なチャネル番号の範囲が、最大のキャリア帯域幅に依存する実施形態2に記載の方法(200)を含む実施形態3。
最大のキャリア帯域幅が、周波数に依存する実施形態2または3に記載の方法(200)を含む実施形態4。
少なくとも1つの整数が、同期信号の周波数に対して相対的な第1の周波数位置を示す第1のインデックス、および第1の周波数位置に対して相対的な第2の周波数位置を示す第2のインデックスである実施形態1に記載の方法(200)を含む実施形態5。
第1の周波数位置が、物理リソースブロックの数で与えられ、第2の周波数位置が、第2の周波数ラスタの解像度で与えられる実施形態5に記載の方法(200)を含む実施形態6。
第1の周波数位置が、第1の周波数ラスタの解像度で与えられ、第2の周波数位置が、第2の周波数ラスタの解像度で与えられる実施形態5に記載の方法(200)を含む実施形態7。
キャリアが置かれる周波数帯域をさらに含む方法が、第1のラスタおよび第2のラスタから決定された値を含む実施形態1aに記載の方法(200)を含む実施形態8。
少なくとも1つの同期信号を送信する前に少なくとも1つの同期信号を取得するステップをさらに含む実施形態1aに記載の方法(200)を含む実施形態9。
本開示の実施形態のいずれか1つに記載の方法を実行するように構成されたプロセッサ(102)を含む実施形態10。
本開示の実施形態のいずれか1つに記載の方法を実行するように構成されたプロセッサ(302)を含む実施形態11。
コンピュータプログラムを含むコンピュータ可読ストレージ媒体であって、コンピュータプログラムがコンピュータ上で実行されるときに、コンピュータが、本開示の実施形態のいずれか1つに記載の方法を実行することを可能にされる、コンピュータ可読ストレージ媒体を含む実施形態12。
コンピュータプログラムを含み、コンピュータプログラムがコンピュータ上で実行されるときに、コンピュータが、本開示の実施形態のいずれか1つに記載の方法を実行することを可能にされるコンピュータプログラム製品を含む実施形態13。
請求項15から20のいずれか一項に記載の受信デバイス(300)と、本開示の実施形態のいずれか1つのいずれか1つに記載の送信デバイス(100)とを含む通信システム(500)を含む実施形態14。
コンピュータプログラムを記憶するように構成されたメモリ(106)と、
本開示の実施形態のいずれか1つに記載の方法を実行するために、メモリからコンピュータプログラムを呼び出し、コンピュータプログラムを実行するように構成されたプロセッサ(102)とを含む装置(100)を含む実施形態15。
コンピュータプログラムを記憶するように構成されたメモリ(306)と、
本開示の実施形態のいずれか1つに記載の方法を実行するために、メモリからコンピュータプログラムを呼び出し、コンピュータプログラムを実行するように構成されたプロセッサ(302)とを含む装置(300)を含む実施形態16。
【国際調査報告】
2020511074.tif 000017
2020511074.tif 000018
2020511074.tif 000019
2020511074.tif 000020